(57)【特許請求の範囲】
【請求項１】
リング状の基台と、
該基台に沿って環状に並べて取付けられたＬＥＤを光源とする複数個の光源手段と、
前記光源手段を覆う空洞のカバーとより構成し、
前記光源手段からの光が、前記カバーの前面に開口された開口部から照射されるように形成され、全ての光源手段よりの光が予め設定した１つの距離において集光するパターンとなるよう前記基台の外周部を内周部より前記集光方向に傾斜させ、
前記光源手段を、ＬＥＤと、該ＬＥＤの照射面に近接して取付けられ、ＬＥＤよりの光を矩形状に収束して照射するライトガイドと、該ライトガイドの放射面と隙間を介して前記カバーの前記開口部裏面に取付けられた凸レンズとより構成し、
前記ライトガイドと前記レンズとの間隔を該レンズの焦点距離より近づけると共に、前記レンズを前記ＬＥＤに対して定まった位置に配置することで、集光されたパターンの縁をぼかして照度段差を小さくしたことを特徴とする医療用照明装置。
【請求項２】
前記レンズと前記カバーの前記開口部との間に光硬化性樹脂が反応する波長をカットする材料で形成したフィルタ板に光を透過する開口部を形成し、前記フィルタ板を前記カバーに対して回転自在に取付け、光硬化性樹脂を使用する際に前記カバーの開口部にフィルタ板の前記開口部を除く部分が位置するようにしたことを特徴とする請求項１記載の医療用照明装置。
【発明の詳細な説明】
【技術分野】
【０００１】
本発明は、ＬＥＤの複数個をリング状に配置すると共に全てのＬＥＤよりの光を予め設定した距離に集光させた医療用照明装置に関する。
【背景技術】
【０００２】
従来における光源としてＬＥＤを使用した照明装置としては、特開２００７−８８３７７号に開示された発明がある。この発明はＬＥＤの発光面に光透過が可能な硝子等の材料で構成された角錐状のライトガイドに取付け、該ライトガイドによってＬＥＤからの光が矩形状となるように構成し、該矩形状の光を対物レンズを介して拡大して照射するものであった。
【先行技術文献】
【特許文献】
【０００３】
【特許文献１】特開２００７−８８３７７号公報
【発明の概要】
【発明が解決しようとする課題】
【０００４】
ところで、前記した特許文献に開示されている発明にあっては、ＬＥＤを２段平行にして横方向に複数個を並べたものが開示されているが、このようなＬＥＤの配置では、照射距離の変化によるパターン中心部での重なりが必ずしも全てで重なることがないので輝度が小さいといった問題があった。
【０００５】
本発明は前記した問題点を解決せんとするもので、その目的とするところは、同心円のリング状に複数のＬＥＤを配置して、全てのＬＥＤからの光を所定の距離において１つの矩形状に集光するようにしたので、実使用距離で照射パターンが変化してもパターンの中心部で全てのパターンが重なるため、パターン中心の照度が安定して確保でき、患者の口元を照射する輝度が高くなり治療が行い易くなり、また、前記矩形状の外周に光が漏れないことから患者に眩しさを与えることがない医療用照明装置を提供せんとするにある。
【課題を解決するための手段】
【０００６】
本発明の医療用照明装置は前記した目的を達成せんとするもので、リング状の基台と、該基台に沿って環状に並べて取付けられたＬＥＤを光源とする複数個の光源手段と、前記光源手段を覆う空洞のカバーとより構成し、前記光源手段からの光が、前記カバーの前面に開口された開口部から照射されるように形成され、全ての光源手段よりの光が予め設定した１つの距離において集光するパターンとなるよう前記基台の外周部を内周部より前記集光方向に傾斜させ、前記光源手段を、ＬＥＤと、該ＬＥＤの照射面に近接して取付けられ、ＬＥＤよりの光を矩形状に収束して照射するライトガイドと、該ライトガイドの放射面と隙間を介して前記カバーの前記開口部裏面に取付けられた凸レンズとより構成し、前記ライトガイドと前記レンズとの間隔を該レンズの焦点距離より近づけると共に、前記レンズを前記ＬＥＤに対して定まった位置に配置することで、集光されたパターンの縁をぼかして照度段差を小さくしたことを特徴とする。
【０００９】
本発明の医療用照明装置は、前記レンズと前記カバーの前記開口部との間に光硬化性樹脂が反応する波長をカットする材料で形成したフィルタ板に光を透過する開口部を形成し、前記フィルタ板を前記カバーに対して回転自在に取付け、光硬化性樹脂を使用する際に前記カバーの開口部にフィルタ板の前記開口部を除く部分が位置するようにしたことを特徴とする。
【発明の効果】
【００１０】
本発明は前記したように、全ての光源手段よりの光が予め設定した１つの距離において全ての光源手段よりの光が集光するパターンとなるようにしたので、このパターンでの輝度は高くなって患者の口元が明るくなるので、施術者による施術が明るい雰囲気の中で行うことができる。
【００１１】
また、ＬＥＤよりの光を矩形状に収束して照射するライトガイド放射面と隙間を介してカバーの開口部裏面に取付けられた凸レンズより放射する構造としたので、全ての光源手段より放射される光は矩形状のパターンとなって患者の口元を矩形状に照射することとなり患者に眩しさを与えることがない。
【００１２】
さらに、照射距離が変化した場合のパターン重なりは実使用距離で安定した明るく、重なりがずれた部分では、ライトガイドとレンズとの間隔を狭くすることで集光されたパターンの縁をぼかして照度段差を小さくしたことにより、パターン内の照度変化が緩やかで、施術者の目への負荷を軽減することが可能である。
【００１３】
また、カバーに対して回転自在なフィルタ板に光硬化性樹脂が反応する波長をカットするフィルタ部と光を透過する開口部とを形成したことにより、光硬化性樹脂を扱う場合の施術には、フィルタ板を回転して光源手段よりの光をフィルタ部を介して放射することで光硬化性樹脂の硬化を防止することができ、また、光硬化性樹脂を扱わない場合の施術では、フィルタ板の開口部によって光源手段よりの光を透過させることで通常での光で施術が行える等の効果を有するものである。
【図面の簡単な説明】
【００１４】
【図１】本発明に係る医療用照明装置の斜視図である。
【図２】図１の断面図である。
【図３】光源手段から予め設定した位置で全てのＬＥＤよりの光によって矩形状に集光した状態を示す斜視図である。
【図４】予め設定した集光位置より光源手段に近い位置での集光状態を示す線図である。
【図５】図４で設定した集光位置よりも光源手段に近い位置での集光状態を示す線図である。
【図６】図５での照射位置で「ぼかし」がない状態のＸ軸方向とＹ軸方向の相対照度を示すグラフである。
【図７】図５での照射位置でライトガイドとレンズを近づけて「ぼかし」た時のＸ軸方向とＹ軸方向の相対照度を示すグラフである。
【図８】ＬＥＤより照射される光から光硬化性樹脂が反応する波長をカットするフィルタを回転させる構造の斜視図である。
【図９】図８の断面図である。
【図１０】フィルタの正面図である。
【発明を実施するための形態】
【００１５】
以下、本発明に係る医療用照明装置の一実施例を図１〜図３と共に説明する。
１は治療椅子に着座している患者の顔に近づけたり離したりする公知のアーム装置（図示せず）に取付けて患者の口元を照明する照明装置本体にして、前記アームに取付けるためのリング状の基台１と、該基台１の前面側を覆う前記基台１と同じ大きさの中空のカバー２と、該カバー２内に収納された複数（図示では１０個）の光源手段３とより構成されている。なお、前記カバー２の表面には開口部２１が形成され、該開口部２１には防塵のための透明板４が取付けられている。
【００１６】
前記各光源手段３は、白色の光を発光するＬＥＤ３１と、該ＬＥＤ３１を取付けた基板３２と、一端が基板３２に固定された無透過性の材料で形成された筒体３３と、一端が前記ＬＥＤ３１の照射面に近接し、他端が前記筒体３３に支持された硝子やアクリル樹脂等の透明材で形成され、入光された光の輝度と色を均一化するライトガイド３４と、該ライトガイド３４を筒体３３に固定するための支持板３５と、前記筒体３３の上方に固定され前記ライトガイド３４から光を拡大投射する凸型のレンズ３６とから構成されている。
【００１７】
そして、ＬＥＤ３１よりの光は前記ライトガイド３４で導光・集光されて前記レンズ３６に入光され、該レンズ３６から矩形状のパターンとして放射される。４は前記カバー２の開口部２１の表面に固定された防塵用の透明板である。
【００１８】
このように構成した本発明の照射装置にあっては、全ての光源手段３におけるライトガイド３４からの放射光が予め設定した位置Ａ（図３参照）に合わせ前記レンズ３６の出射側先端がリング状に配置された全てのＬＥＤ３１を、該ＬＥＤ３１の中心間を結ぶ円の直径に配置されるように各光源手段３を設定する。このように、光源手段３を配置することで照射装置よりの放射光は、全てのＬＥＤ３１よりの光の集合光となって輝度が高い状態で照射され、従って、施術者による施術を明るい雰囲気で行うことができる。
【００１９】
そして、全てのＬＥＤ３１からの光が集合した図３に示す位置Ａｍｍより照射装置が患者の口元に近づく位置Ｂと、全てのＬＥＤ３１からの光が集光する面積が小さくなって上下左右方向にズレが生じる（図４参照）。さらに、患者の口元に近づく距離Ｃと、全てのＬＥＤ３１からの光が集光する面積はさらに小さくなると共に上下左右方向へのズレで生じる照度段差を各パターンの縁をぼかすことで解消できる（図５参照）。
【００２０】
また、実験を行って、ライトガイド３４とレンズ３６の距離が近づくようにレンズ３６の焦点距離よりレンズ３６をライトガイド３４側に近づけた時に、全てのＬＥＤ３１からの光が集光するパターンの縁がぼけて照度段差が小さくなって施術者の目への負荷を軽減することができた。
【００２１】
前記位置Ａの距離でパターンが明瞭な矩形状となるようにライトガイド３４とレンズ３６の距離を設定した時の照明パターン中心の照度分布は図６に示すように、Ｙ軸方向およびＸ軸方向のグラフにおいて、傾斜面の線に凹凸の段差が生じ、一方、ライトガイド３４とレンズ３６との距離を若干近づけパターンをぼかした時の照度分布は図７に示すように、Ｙ軸方向およびＸ軸方向のグラフにおいて、傾斜面の線に段差が殆ど生じなかったことから明らかなことである。
【００２２】
前記した照明装置を利用しての施術に光硬化性樹脂を使用する場合に、口腔内を照明する前記無影灯の照明装置より光を照射すると光硬化性樹脂が反応し、治療中に意図しない硬化が行われてしまう。そこで、光硬化性樹脂が反応する波長をカットするフィルタを前記照明装置の前面に配置して光硬化性樹脂が反応するのを防止するフィルタ装置を図８〜図１０と共に説明する。なお、前記した実施例と同じ符号は同一部材を示し説明は省略する。
【００２３】
光源手段３の前面には光硬化性樹脂が反応する波長をカットするフィルタ板５と、該フィルタ板５に形成された開口部５１を有するリング状のフィルタ板５が回転自在に取付けられ、また、フィルタ板５の外周には前記カバー２の外周に形成されたガイド孔２３にガイドされた突片５２が一体的に形成されている。
【００２４】
このように構成したフィルタ装置にあっては、ハンドピースを使用しての施術等のように光硬化性樹脂の充填以外の施術にあっては、フィルタ板５の突片５２を操作してフィルタ板５の開口部５１が前記カバー２の開口部２１と一致する位置までフィルタ板５を回転すると、光源手段３からの光はフィルタ板５の開口部５１を介して照射されるので通常光での照明で施術を行うことが可能となる。
【００２５】
そして、光硬化性樹脂を充填した時には、前記突片５２を操作してフィルタ板５がカバー２の開口部２１を塞ぐ位置まで回転すると、光源手段３からの光はフィルタ板５を介して照射されるので、光硬化性樹脂が反応する波長をカットすることから光硬化性樹脂の硬化が抑制される。
【００２６】
前記した実施例では、フィルタ板５をカバー２の開口部２１に取付けられている透明板４とレンズ３６との間に配置したものについて説明したが、フィルタ板５はＬＥＤ３１よりの光を光硬化性樹脂が反応する波長をカットすることが目的であるので、図示していないがライトガイド３４とレンズ３６との間に移動可能に配置してもよい。
【符号の説明】
【００２７】
１         基台
２          カバー
２１        開口部
３         光源手段
３１        ＬＥＤ
３２        基板
３３        筒体
３４        ライトガイド
３５        支持板
３６ レンズ
４          透明板
５          フィルタ板
５１        開口部
【図１】
0005769102.tif 000002
【図２】
0005769102.tif 000003
【図３】
0005769102.tif 000004
【図４】
0005769102.tif 000005
【図５】
0005769102.tif 000006
【図６】
0005769102.tif 000007
【図７】
0005769102.tif 000008
【図８】
0005769102.tif 000009
【図９】
0005769102.tif 000010
【図１０】
0005769102.tif 000011